(57)【特許請求の範囲】
【請求項１】
ガスが封入され且つ電極がない放電管と；
この放電管に近接して配置される強磁性体部材と；
この放電管の周辺近傍に巻回されたコイルと；
このコイルと前記放電管から発生される可視光或いは紫外線等を照射する水又は水を含んだ液体が流れる導水管との間に配置されて、コイル側と導水管側を電気的に遮蔽する透光性或いは非透光性シールド部材と；を具備し、
前記強磁性体部材の一部に放電管側に近く且つ導水路側から遠くなるような位置にギャップを設けたことを特徴とする無電極水処理用ランプ。
【請求項２】
前記放電管は円筒状で中心部が中空の形状を有し、コイルはこの放電管に無端ソレノイド状に巻回されていることを特徴とする請求項１記載の無電極水処理用ランプ。
【請求項３】
透光性或いは非透光性シールド部材を接地、又は電源ハイサイドに接続したことを特徴とする請求項１又は２記載の無電極水処理用ランプ。
【請求項４】
請求項１乃至３いずれか１記載の無電極水処理用ランプと；
この無電極水処理用ランプのコイルに高周波電流を供給する高周波電源と；
を具備したことを特徴とする無電極水処理用ランプ点灯装置。
【請求項５】
前記高周波電源から供給される高周波電流の周波数は１ＭＨｚから３０ＭＨＺであることを特徴とする請求項４記載の無電極水処理用ランプ点灯装置。
【請求項６】
請求項４又は５記載の無電極水処理用ランプ点灯装置と；
この無電極水処理用ランプ点灯装置の無電極水処理用ランプに近接配置され、この無電極水処理用ランプにより発生される可視光又は紫外線が照射される処理対象の水又は水を含んだ液体が流れる導水管と；
を具備したことを特徴とする液体処理装置。
【請求項７】
ガスが封入され且つ電極がない放電管と；
この放電管の周辺近傍に巻回されたコイルと；
を具備し、
前記放電管から発生される可視光或いは紫外線等を照射する水又は水を含んだ液体が流れる中空の導水管と前記コイルとの間に空間が形成されるように前記放電管及びコイルが導水管内に配置されていることを特徴とする無電極水処理用ランプ。
【発明の詳細な説明】
【０００１】
【発明の属する技術分野】
本発明は、水等の処理対象の液体に紫外線等を照射する無電極水処理用ランプと、このランプを点灯させる無電極水処理用ランプ点灯装置及びこの無電極水処理用ランプ点灯装置を備えて前記処理対象の液体を処理する液体処理装置に関する。
【０００２】
【従来の技術】
従来、無電極の放電管と、この放電管の周辺に近接して巻回されたコイルから成る無電極水処理用ランプの前記コイルに高周波電流を供給して、このランプを点灯し、このランプから照射される紫外線等により、このランプの近傍を流れる水等の液体を殺菌したり、或いは液体中の化学反応を促進したりする液体処理装置が公知である。
【０００３】
このような液体処理装置は上記した放電管と、コイルと、処理対象の液体が近接して配置されており、コイルから発生する電磁エネルギーの一部が液体に吸収（その結果液体が暖まる）され、その分、放電管に入力される電磁エネルギー（電力）が減少し、放電管から放射する紫外線の放射量が無電極水処理用ランプを単独で用いた場合に比べて低下することになる。
【０００４】
この原因は、水の高周波における誘電率及び誘電正接が大きいことにあり、従来はこの水の高周波における誘電率及び誘電正接が大きいことが見落とされている。この水の誘電率が大きいということは、無電極水処理用ランプに近接配置されているコイルの巻線間電束が誘電率の高い水と結合することを示しており、誘電正接が大きいといっことは、コイルにより発生された静電エネルギーが水を暖めることに消費され、これにより、ランプの始動及び定常点灯効率が低下する。又、水の性質として、一般にマイクロ波電力を加えることによって、水分子の振動による水の加熱特性が、電子レンジの普及によってあまねく知られており、前記コイルに流れる高周波電流の周波数がマイクロ波帯に近付くと、前記コイルから発生するマイクロ波を水が吸収し、その分、ランプの始動及び定常点灯効率が低下することになる。
【０００５】
従って、上記のようなコイルから発生する電磁エネルギーが処理対象の水に吸収されないようにするためには、磁束を無端ソレノイド内に閉じこめるようにして、被処理水を通過させないようにする試みが考えられるが、電束をも被処理水に至らないように閉じこめなければならず、これをどうするかという問題が残る。
【０００６】
実際、誘導結合形、若しくは電界結合形の無電極放電ランプを水の近傍で点灯させたところ、始動性及び定常時のコイル／放電管（ランプ）間の電力伝達効率が、通常状態で前記ランプを同一整合回路と同一コイル／ランプの組み合わせにより点灯させた場合に比べて、低下することを把握した。この原因が、マイクロ波加熱同様に水分子の振動によるものか、水の誘電率及び誘電正接が大きいことに起因するのか、或いは水との磁気的な結合によるのかは、現在のところは把握できていない。
【０００７】
しかしながら、無電極水処理用ランプの放電管に放電を生起して維持するのに要する磁束及び電束を、導水管中の水などに鎖交させなければ、水を加熱する物理的要因がないことが容易に推論できる。しかし、現在のところ、そのような構成を有する無電極水処理用ランプはなく、従来の無電極水処理用ランプを用いた液体処理装置では、無電極水処理用ランプからの紫外線の照射量などが近接して配置される処理対象の水の影響で低下し、被処理水に対して設計通りの処理性能が得られないという不具合が発生する恐れがあった。
【０００８】
尚、上記した従来の参考公報としては、特開昭64-2248 「所謂、竹輪形ランプの中空筒内に流体を流すことができるコイル／ランプ系の構成に関する」などがある。
【０００９】
【発明が解決しようとする課題】
従来から無電極水処理用ランプにより照射される紫外線を、このランプに近接して流れる水又は水を含んだ液体に照射して、殺菌や化学反応の促進などの何らかの処理を行なう場合、無電極水処理用ランプの放電管に近接配置されたコイルから発生する電磁エネルギーの一部が水等の液体に吸収されて、放電管に入力される電磁エネルギが減少することにより、放電管から発生する紫外線の照射量が低下するため、このような従来の無電極水処理用ランプを用いた液体処理装置では、被処理水に対して設計通りの処理性能が得られないという不具合が発生する恐れがあった。
【００１０】
そこで本発明は上記のような課題を解決するためになされたもので、水又は水を含んだ液体が近接配置されても、可視光線や紫外線等の照射量が低下しない無電極水処理用ランプ、この無電極水処理用ランプを点灯させる無電極水処理用ランプ点灯装置及び無電極水処理用ランプ点灯装置を用いて設計通りの処理性能を発揮する液体処理装置を提供することを目的としている。
【００１３】
【課題を解決するための手段】
請求項１の発明は、ガスが封入され且つ電極がない放電管と、この放電管に近接して配置される強磁性体部材と、この放電管の周辺近傍に巻回されたコイルと、このコイルと前記放電管から発生される可視光或いは紫外線等を照射する水又は水を含んだ液体が流れる導水管との間に配置されて、コイル側と導水管側を電気的に遮蔽する透光性或いは非透光性シールド部材とを具備している。また本発明は、前記強磁性体部材の一部に放電管側に近く且つ導水路側から遠くなるような位置にギャップを設けている。
【００１４】
このような構成の強磁性体部材として、一般的にフェライト材、カーボニル鉄ダスト材、アモルファス材等の周波数特性のよい強磁性体が用いられ、更には、それらの粉体もしくは薄帯を圧粉加温あるいは焼結したり、積層化したものが用いられる。また、強磁性体部材の形成する磁路が放電管の内部に形成される放電路と鎖交するように配置されることによって、コイルと放電管内の放電路との結合係数が向上される。この作用によって、コイルの形成した磁束は、強磁性体部材の内部に集まり、導水管に鎖交するものが低減できるから、導水管や透光性或いは非透光性シールド部材での渦電流損を生じない。故に、コイルから放電管への電力伝達効率が向上する。このような構成により、強磁性体部材の途中に設けられたギャップ部の磁気抵抗が高くなるから磁路断面積か小さな強磁性体部材でも飽和しにくくなる。また、前記ギャップ部で空間に放散された磁束は始動時の放電管に侵入し、これにより放電管は容易に始動する。
【００１５】
請求項２の発明は、前記放電管は円筒状で中心部が中空の形状を有し、コイルはこの放電管に無端ソレノイド状に巻回されている。
【００１６】
このような構成により、無端ソレノイド状のコイルは磁束をその中心に閉じ込めるように発生するため、導水管側へ広がる磁束が少なくなり、導水管や透光性或いは非透光性シールド部材での渦電流損を生じない。
【００１７】
請求項３の発明は、透光性或いは非透光性シールド部材を接地、又は電源ハイサイドに接続している。
【００１８】
このような構成により、透光性或いは非透光性シールド部材は電束をより完全に遮蔽する。
【００２３】
請求項７の発明は、ガスが封入され且つ電極がない放電管と、この放電管の周辺近傍に巻回されたコイルとを具備し、前記放電管から発生される可視光或いは紫外線等を照射する水又は水を含んだ液体が流れる中空の導水管と前記コイルとの間に空間が形成されるように前記放電管及びコイルを導水管内に配置している。
【００２４】
このような構成により、コイルと導水管の間に空間があるため、コイルと導水管は空間的に離されることになる。このため、コイルから発生される磁束及び電束は導水管部分にはほとんど至らず、導水管内の水又は水を含んだ液体に吸収されることはない。特に、大部分の電束はコイルと放電管の低電位部に帰還し、電束はコイルと放電管側に閉じ込められるため、コイルから放電管に良好な電力伝達効率が実現でき、放電管から発生される可視光或いは紫外線量は低下することなく、透光性或いは非透光性シールド部材を通して導水管を流れる水又は水を含んだ液体に照射される。
【００３１】
請求項４の発明は、請求項１乃至３いずれか１記載の無電極水処理用ランプと、この無電極水処理用ランプのコイルに高周波電流を供給する高周波電源とを具備している。
【００３２】
このような構成により、高周波電源から無電極水処理用ランプに高周波電流が供給されると、無電極水処理用ランプが点灯するが、この無電極水処理用ランプに近接して水を又は水を含んだ液体があっても、無電極水処理用ランプのコイルから発生する電束又は磁束が上記液体のところに届かないため、無電極水処理用ランプは設計通りの量の可視光又は紫外線を照射する。
【００３３】
請求項５の発明は、前記高周波電源から供給される高周波電流の周波数は１ＭＨｚから３０ＭＨｚである。
【００３４】
このような構成により、前記高周波電源から供給される高周波電流の周波数が低ければ、コイルのＱ値が小さくなることから、コイルから放電管ヘの電力伝達効率が悪化する。あるいは、放電管の管壁容量によるリアクタンスが放電インピーダンスに対して大きくなりすぎ、管壁を介する電界結合放電が良好に行えなくなるため、下限周波数は１ＭＨｚ付近が限度である。一方、前記周波数が高ければ、シールド部材の構成を強化（単純開口面積が小さなメッシュ材を考えられたい）せざるを得ず、放電管の放射光を導水管にに照射するという設計意図が達しずらくなるし、更に、放電管とコイルの間の結合を向上させた強磁性体部材で、入手が容易なものの損失正接(tanδ）を勘案すると、上限周波数を３０ＭＨｚ付近にするのが限度であると共に、これ以上の周波数であると、導水管内の液体を高周波加熱する恐れが出て、コイルから放電管への電力伝達効率が悪化する。
【００３５】
請求項６の発明は、請求項４又は５記載の無電極水処理用ランプ点灯装置と、この無電極水処理用ランプ点灯装置の無電極水処理用ランプに近接配置され、この無電極水処理用ランプにより発生される可視光又は紫外線が照射される水又は水を含んだ液体が流れる導水管とを具備している。
【００３６】
このような構成により、無電極水処理用ランプは設計通りの可視光又は紫外線を導水管内の水又は水を含んだ液体に照射し、液体が所定通り不足なく処理される。
【００３７】
【発明の実施の形態】
以下、本発明の実施の形態を図面を参照して説明する。図１は本発明の無電極水処理用ランプの第１の実施の形態を示した断面図で、図１（Ａ）は縦断面図、図１（Ｂ）は横断面図である。１は低圧の水銀又は希ガスなどを封入し、放電空間を形成する放電管、２は高周波電流が流れることにより放電管１に電磁エネルギー（電力）を入力するコイル、３はコイル２から出る電束及び磁束を遮蔽する電磁シールド、４は放電管１の両端面に取り付けられて、磁束を放電管１の内側に集中させる強磁性体部材、５は水又は水を含んだ処理対象液体１００が流れる導水管である。
【００３８】
尚、無電極水処理用ランプは放電管１、コイル２、電磁シールド３、強磁性体部材４により形成されている。又、導水管５の無電極水処理用ランプ側の完璧は石英等で作られ、透明又は半透明で放電管１から照射される紫外線がこの完璧を通して導水管５内の液体１００に到達するようになっている。更に、電磁シールド３も透光又は非透光性で、放電管１から照射される紫外線が導水管５の完璧に至るようになっている。
【００３９】
次に本実施の形態の動作について説明する。導水管５は中空の管で、その中空に無電極水処理用ランプが配置されており、この無電極水処理用ランプのコイル２に図示されない高周波電源部から高周波電流が供給されて放電管１を点灯させる。これにより、放電管１からは紫外線（或いは可視光線）が放射し、この紫外線が電磁シールド３及び導水管５の完璧を透過して導水管５内を流れる液体１００に至り、この液体１００を殺菌したり、或いは液体１００の化学反応を促進する。
【００４０】
ここで、コイル２に高周波電流が流れる時に発生する電界及び磁界は電磁シールド３により遮断されて、導水管５内を流れる液体１００に至らない。しかも、本例は放電管１の両管端面に強磁性体部材４が取り付けられており、コイル２から発生した磁束は、この強磁性体部材４を通って放電管１内を貫通して放電管１内の放電路と鎖交し、放電管１内の放電路とコイル２間の結合係数を上げている。従って、仮に電磁シールドがなくとも、放電管１の導水管５側に漏れる磁束は少なく、導水管３に鎖交する磁束を極めて少なくすることができる。即ち、コイル２から発生した磁束が導水管５側の方へ広がらなくなり、電磁シールド３の効果に相乗して、磁束が導水管５内に入ることはほぼなくなる。又、電磁シールド３に到達する磁束も少ないため、渦電流損がほとんどなく、この面からもコイル２から放電管１内に入力する電力効率を上昇させている。
【００４１】
又、本例の強磁性体部材４には図１（Ｂ）で示すようにギャップ部６が設けられている。この強磁性体部材４の途中に設けられたギャップ部６の磁気抵抗は高いため、強磁性体部材４が飽和しにくくなり、強磁性体部材４を薄くして磁路断面積を小さくしている。更に、このギャップ部６で空間に広がる磁束が放電管１内に侵入するため、放電管１の始動性は良好になる。
【００４２】
本実施の形態によれば、コイル２から発生された電界、磁界とも電磁シールド３により遮蔽されて、導水管５内の水等の液体１００に至らないため、コイル２から発生された電磁エネルギーが液体１００に吸収されることがなく、電磁エネルギーは設計又は予測された効率を下回ることなく、放電管１内に入力され、放電管１を点灯させるので、放電管１から発生される紫外線量は低下することなく、導水管５内の水等の液体１００に照射させることができる。
【００４３】
又、放電管１の両端面に取り付けてある強磁性体部材４によりコイル２から発生された磁束が放電管１側に集中して導水管５側に広がらないため、前記電磁シールド３の効果に相乗して導水管５に至る磁束をなくし、上記効果を高めることができる。更に、磁束が外部に漏れにくくなるため、この磁束の外部への漏洩によるノイズを減らすことがてきる。また、強磁性体部材４の形成する磁路が放電管１の内部に形成される放電路と鎖交するように配置されることによって、コイル２と放電管１内の放電路との結合係数が向上される。更に、コイル２の形成した磁束は、強磁性体部材４の内部に集まり、導水管５に鎖交するものを低減できるから、導水管５や透光性或いは非透光性電磁シールド部材３での渦電流損を生じない。故に、コイル２から放電管１への電力伝達効率が向上し、同じ有効電力を放電管１に投入するに当たり、コイル２の扱う皮相電力が小さくでき、コイル２及びその周辺回路の耐圧及び電流容量を小さくすることができる。これらの効果は、点灯装置を安価に仕上げる最も重要な要因となる。
【００４４】
また、強磁性体部材４の途中にギャップ部６を設け、しかも、このギャップ部６と導水管５までの空間距離は十分離れていると共に、ギャップ長が通常あまり大きく採られないことから、導水管５若しくは電磁シールド３と鎖交する磁束は少ないとみなせ、それらによる渦電流損は無視しできるので、強磁性体部材４を軽量で小さなものにすることができると共に、前記ギャップ部６が放電管１に近いことによって、ギャップ部６で空間１に放散された磁束を始動時の放電管１に作用させ、始動性の向上を図ることができる。
【００４５】
尚、導水管５内の液体１００に吸収されるのは電界のみであるならば、電磁シールド３の代わりに電界シールドを用いれば、同様の効果がある。又、導水管５内の液体１００に吸収されるのは磁界のみであるならば、電磁シールド３の代わりに磁界シールドを用いれば、同様の効果があるし、この場合は強磁性体部材４に磁界シールド機能をすべて負担させた構成とすることもでき、シールドを省略することができる。即ち、導水管５内の液体１００に吸収されるのは磁界のみであるならば、強磁性体部材４により磁束を放電管１側に集中して、磁束が導水管５内の液体１００に至らないようにすることでも、同様の効果を得ることができる。又、導水管５内の液体１００に吸収されるのは電界及び磁界であった場合も、電磁シールド３の代わりに電界シールドを用い、強磁性体部材４に磁界シールド機能をすべて負担させた構成としても、同様の効果を得ることができる。
【００４６】
又、強磁性体部材４を持たず、電磁シールド３のみで電磁界を遮断して、導水管５側に至らないようにする構成としても、同様の効果を得ることができる。
【００４７】
図２は本発明の無電極水処理用ランプの第２の実施の形態を示した断面図である。本例では中空の円筒状放電管１の前記中空部にコイル２が配置され、このコイル２に図示されない高周波電源からの高周波電流が供給されると、円筒状放電管１が点灯する。この円筒状放電管１の外周部には中空円筒状の導水管５が配置され、この導水管５内を流れる水又は水を含んだ液体１００に円筒状放電管１から発生する紫外線等が照射されて、液体１００に対する殺菌、又は化学反応の促進が行われる。
【００４８】
本実施の形態によれば、コイル２と導水管５との間に円筒状放電管１により形成される放電空間Ｓがあるため、コイル２から発生される電磁界は導水管５には届かず、その電磁エネルギーは放電管１を点灯させるためだけに使用されるため、放電管１から発生される紫外線量は低下することなく、導水管５内の水等の液体１００を照射することができる。
【００４９】
図３は本発明の無電極水処理用ランプの第３の実施の形態を示した断面図である。本例は、放電管１の外周部と導水管５の内周部の間に電磁シールド３を挿入して、コイル２から発生し、更に放電空間Ｓを貫通した電束又は磁束をこの電磁シールド３により遮蔽している。又、コイル２の中心に強磁性体部材４を挿入して、磁束が放電管１に集中してそれを貫通するようにし、それ以上外側に広がらないようにしている。
【００５０】
このような構成により、本例では図２に示した第２の実施の形態に比べて、放電管１により形成される放電空間Ｓの径方向の距離がとれない場合でも、円筒状放電管１内にコイル２から発生された電束又は磁束が侵入しないようにすることができ、図２に示した第２の実施の形態と同様の効果を得ることができる。
【００５１】
尚、電磁シールド３か、強磁性体部材４のいずれか一方を用いた構成でも、同様の効果を得ることができるし、電界シールドと強磁性体部材４の組み合わせでも同様の効果を得ることができる。
【００５２】
図４は本発明の無電極水処理用ランプ点灯装置の一実施の形態を示したブロック図である。１０は、図１〜図３のいずれかに示した構成の無電極水処理用ランプ１４のコイル２に高周波電流を供給する高周波電源部で、交流電源１３からの商用電源を高周波電流に変換するインバータ回路１１と、インバータ回路１１から出力される高周波電流をコイル２に効率よく供給するための整合回路１２及びインバータ回路１１と整合回路１２を接続する同軸ケーブル１５を有している。
【００５３】
インバータ回路１１は交流電源１３から入力される交流を１ＭＨｚ〜３０ＭＨｚの高周波電流に変換し、これを同軸ケーブル１５及び整合回路１２を通して無電極水処理用ランプ１４のコイル２に供給する。コイル２は高周波電流が流れることにより、放電管１内に形成されている放電路に電磁結合して、電磁エネルギーを放電管１内に入力して、放電管１を点灯させる。放電管１が点灯することにより発生する紫外線は導水管５内を流れる水又は水を含んだ液体１００に照射され、液体１００を殺菌したり、或いはその化学反応を促進したりする。
【００５４】
この際、本実施の形態によれば、電磁シールド３はコイル２から発生される電磁束を遮断して、これらが導水管５内を流れる液体１００に侵入しないようにしている。これにより、コイル２より発生する電磁エネルギーは導水管５内を流れる液体１００に吸収されず、放電管１から発生される紫外線量は低下することなく、設計通りの照射量を得ることができる。
【００５５】
又、本例では、高周波電源部１０からコイル２に出力される高周波電流の周波数をあまり低く設定すると、コイル２から放電管１への電力伝達効率が低く抑えられてしまうし、あまり高い周波数を設定すると、それは導水管５内の液体１００に対してマイクロ波加熱を行ってしまうのと同じことになるため、前記周波数として１ＭＨｚ〜３０ＭＨｚが設定されている。尚、強磁性体部材４で入手容易なものの損失正接を勘案すると、上限周波数はやはり３０ＭＨｚ付近となる。これにより、放電管１を効率よく点灯すると共に、導水管５内を流れる液体１００を高周波加熱して、これにより、コイル２から発生する電磁エネルギーの一部が液体１００により吸収されて、放電管１から発生される紫外線量が低下することを防止している。
【００５６】
図５は本発明の液体処理装置の一実施の形態を示したブロック図である。図４に示した無電極水処理用ランプ点灯装置を構成する無電極水処理用ランプ１４が導水管５内に配置され、この無電極水処理用ランプ１４に図３に示した高周波電源部１０から高周波電流が供給されている。導水管５は水道管８と接続部７により接続され、図中左側の水道管８から水が導水管５に流れ込む。導水管５に流れ込んだ水は無電極水処理用ランプ１４から発生する紫外線の照射を受けて殺菌され、殺菌済みの水が導水管５から図中右側の水道管８に流れ出る。
【００５７】
本実施の形態によれば、無電極水処理用ランプ１４と高周波電源部１０より成る無電極水処理用ランプ点灯装置は図４に示した装置と同様の構成を有するため、無電極水処理用ランプ１４から発生する紫外線の照射量は設計通りで、導水管５を流れる水に対しては仕様通りの殺菌効果を不足なく発揮することができる。
【００５９】
【発明の効果】
請求項１の発明によれば、強磁性体部材により磁束が放電管側に集中し、導水管側に広がらないため、透光性又は非透光性シールド部材による磁気遮蔽が完全に行われると共に、コイルと放電管の結合係数を上げることができ、更に透光性又は非透光性シールド部材の渦電流損を減らすことができるため、コイルと放電管との電力伝達効率を上げて、放電管からの放射光量を大きくすることができる。また、本発明によれば、強磁性体部材の途中に設けられたギャップにより強磁性体部材を薄く且つ軽くすることができると共に、ギャップ部の磁束の広がりによって放電管の始動性を向上させることができる。
【００６０】
請求項２の発明によれば、コイルと放電管の外側に漏れる磁束を少なくすることができる。
【００６１】
請求項３の発明によれば、透光性又は非透光性シールド部材による電磁シールド効果を向上させることができる。
【００６４】
請求項７の発明によれば、コイルと導水管が空間により距離的に離れているので、コイルからの電束や磁束が導水管側へほとんど侵入しないため、導水管内の処理対象の水又は水を含んだ液体にコイルの出力が喰われず、放電管からの放射光量を低下させないようにすることができ、所定通りの量の可視光線や紫外線等の照射を前記水又は水を含んだ液体に行うことができる。
【００６８】
請求項４の発明によれば、無電極水処理用ランプに近接して処理対象の水又は水を含んだ液体があっても、無電極水処理用ランプから所定通りの量の放射光を前記液体に照射することができる。
【００６９】
請求項５の発明によれば、無電極水処理用ランプのコイルから放電管に伝達される電力効率を落とさず、且つ処理対象の水又は水を含んだ液体を高周波加熱することがなくなるため、無電極水処理用ランプから所定通りの量の放射光を効率よく前記液体に照射することができる。
【００７０】
請求項６の発明によれば、無電極水処理用ランプ点灯装置の無電極水処理用ランプから所定通りの量の放射光が導水管内の処理対象の水又は水を含んだ液体に照射されるため、液体に対する処理を不足なく行うことができる。
【図面の簡単な説明】
【図１】本発明の無電極水処理用ランプの第１の実施の形態の構成を示した断面図。
【図２】本発明の無電極水処理用ランプの第２の実施の形態の構成を示した断面図。
【図３】本発明の無電極水処理用ランプの第３の実施の形態の構成を示した断面図。
【図４】本発明の無電極水処理用ランプ点灯装置の一実施の形態の構成を示したブロック図。
【図５】本発明の液体処理装置の一実施の形態の構成を示したブロック図。
【符号の説明】
１  放電管
２  コイル
３  電磁シールド
４  強磁性体部材
５  導水管
６  ギャップ部
７  接続部
８  水道管
１０  高周波電源部
１１  インバータ回路
１２  整合回路
１３  交流電源
１４  無電極水処理用ランプ
１５  同軸ケーブル
【図１】
0003776170.tif 000002
【図２】
0003776170.tif 000003
【図３】
0003776170.tif 000004
【図４】
0003776170.tif 000005
【図５】
0003776170.tif 000006